(57)【要約】【課題】ダイバーシティ効果を最適化し、さらには人体によるアンテナ特性への悪影響とＳＡＲ値を低減する。【解決手段】第１〜第３のアンテナ２１〜２３と、信号の送信と受信に共用される経路Ｒ１と、受信のみに使用される経路Ｒ２と、各アンテナのうちの何れか二つのアンテナの一方を経路Ｒ１に接続し、他方を経路Ｒ２に接続するためのアンテナ切り替え回路２４と、アンテナ切り替え回路２４の切り替え動作を制御するＣＰＵ３２とを有する。ＣＰＵ３２は、開閉検出センサ３９からの信号により端末の開閉状態を判断し、またＶＳＷＲセンサ２５からの信号によりトークポジション状態かハンドホールド状態かを判断し、それらの判断結果に応じて何れのアンテナを経路Ｒ１，Ｒ２に接続するのか決定し、その決定に応じてアンテナ切り替え回路２４を制御する。【選択図】  図４
2004363863.tif 000002
【特許請求の範囲】
【請求項１】
少なくとも二つのアンテナと、
信号の送信と受信に共用される送受信回路と、
信号の受信にのみ用いられる受信回路と、
上記各アンテナのそれぞれについて受信信号強度を検出する信号強度検出手段と、
上記各アンテナの何れか一つを上記送受信回路に接続し、他の一つを上記受信回路に接続するためのアンテナ切り替え手段と、
上記信号強度検出手段が検出した受信信号強度を元に、上記各アンテナのうちで最も受信信号強度が高いアンテナを決定し、上記アンテナ切り替え手段を制御して、上記受信信号強度が最も高いアンテナを上記送受信回路に接続させる制御手段とを有する
ことを特徴とする携帯無線端末。
【請求項２】
少なくとも三つのアンテナと、
信号の送信と受信に共用される送受信回路と、
信号の受信にのみ用いられる受信回路と、
上記各アンテナのうちの何れか二つのアンテナの一方を上記送受信回路に接続し、他方を上記受信回路に接続するためのアンテナ切り替え手段と、
当該携帯無線端末の使用状態を検出する使用状態検出手段と、
上記使用状態検出手段が検出した使用状態に応じて上記二つのアンテナを決定し、上記アンテナ切り替え手段を制御して、上記二つのアンテナの一方を上記送受信回路に接続させ、他方を上記受信回路に接続させる制御手段とを有する
ことを特徴とする携帯無線端末。
【請求項３】
請求項２記載の携帯無線端末であって、
第１の筐体と、
第２の筐体と、
上記第１の筐体の一端部と第２の筐体の一端部を回動自在に連結すると共に、上記第１の筐体の一端部と第２の筐体の他端部を近接させた第１の状態と、第１の筐体の一端部と第２の筐体の他端部を離した第２の状態との、少なくとも二つの状態を取り得る連結部とを有し、
上記各アンテナの一つは上記第１の筐体の他端部近傍に設けられ、上記各アンテナの他の一つは上記第２の筐体の他端部近傍に設けられ、上記各アンテナの更に他の一つは上記連結部近傍に設けられ、
上記使用状態検出手段は、上記第１，第２の状態を上記使用状態として検出し、
上記制御手段は、上記使用状態検出手段が上記第１の状態を検出したときには、上記第１の筐体の他端部近傍に設けられたアンテナ若しくは上記第２の筐体の他端部近傍に設けられたアンテナの何れか一方と、上記連結部近傍に設けられたアンテナとを、上記二つのアンテナに決定し、上記使用状態検出手段が上記第２の状態を検出したときには、第１の筐体の他端部近傍に設けられたアンテナと、上記第２の筐体の他端部近傍に設けられたアンテナとを、上記二つのアンテナに決定することを特徴とする携帯無線端末。
【請求項４】
請求項２記載の携帯無線端末であって、
上記各アンテナの一つは当該携帯無線端末の筐体の長辺方向の一端部近傍に設けられ、上記各アンテナの他の一つは当該筐体の長辺方向の他端部近傍に設けられ、上記各アンテナのさらに他の一つは当該筐体の長辺方向の中央部近傍に設けられ、
上記使用状態検出手段は、上記各アンテナのインピーダンス変化の測定値を上記使用状態を表す値として検出し、
上記制御手段は、上記各アンテナのうち一つのアンテナの測定値が上記規定値を越えたときには、上記測定値が規定値を超えたアンテナを除く残りのアンテナを上記二つのアンテナに決定することを特徴とする携帯無線端末。
【請求項５】
請求項２記載の携帯無線端末であって、
上記各アンテナのそれぞれについて受信信号強度を検出する信号強度検出手段を有し、
上記制御手段は、上記使用状態検出手段が検出した使用状態に応じて決定した二つのアンテナのうち、信号強度検出手段が検出した受信信号強度の高い方のアンテナを、上記アンテナ切り替え手段を制御して送受信回路に接続させることを特徴とする携帯無線端末。
【発明の詳細な説明】
【０００１】
【発明の属する技術分野】
本発明は、いわゆるダイバーシティ受信が可能な携帯無線端末に関する。
【０００２】
【従来の技術】
従来より、無線通信の分野では、フェージング対策のための有効な手法の一つとして、ダイバーシティ受信方式が採用されている。特に、携帯電話端末等の携帯無線端末の場合、当該携帯無線端末の移動に伴って電波の伝搬路が時々刻々と様々に変化するため、当該ダイバーシティ受信方式が有効であるとされている。
【０００３】
特に、例えば二つのアンテナを用いた空間ダイバーシティ受信を行う場合、各アンテナは出来るだけ離して配置することが望ましい。このため、例えば携帯電話端末のように筐体の大きさが限られているものにおいて空間ダイバーシティ受信方式を適用する場合、一般的には、例えば受話部が設けられている位置近傍と送話部が設けられている位置近傍の二箇所、言い換えると、筐体上で最も距離をとることができる長辺方向の両端部（つまり筐体上端部と筐体下端部の二箇所）に、アンテナが設けられ、それら二つのアンテナにより空間ダイバーシティ受信を行う。
【０００４】
なお、携帯無線端末にダイバーシティ受信方式を適用した例として、特許文献１に記載した技術が知られている。この特許文献１に記載の携帯用無線機は、無線機本体と、その本体と対向設置されると共に通話時には開き、待機時には閉じる蓋とを備えており、第１のアンテナが本体側の送受信回路に接続され、第２のアンテナが蓋側に設けられている。第２のアンテナは、蓋側の短辺方向であり且つ、当該蓋を開いた場合に本体側から最も遠くなる端辺に沿って設けられている。そして、当該第２のアンテナは、通話時には送受信回路と接続され、待機時には遮断される。
【０００５】
【特許文献１】
特開２００２−１６４１２号公報（第１図）
【０００６】
【発明が解決しようとする課題】
ところで、携帯電話端末の筐体上端部と筐体下端部の二箇所にアンテナを設けた場合、一般的には、受話部近傍である筐体上端部側のアンテナが送受信共用のアンテナ（以下、送受信アンテナとする）となされ、送話部近傍である筐体下端部側のアンテナが受信専用のアンテナとなされる。なお、このようなアンテナ配置が採用されるのは、送信用に使用される送受信アンテナは地面から高い位置に配されるのが望ましいためであり、携帯電話端末の通常用途で地面から高い位置になることが多いのは筐体上端部側だからである。
【０００７】
しかしながら、受話部近傍の筐体上端部側に送受信アンテナがあると、例えば通話中等のトークポジションのときに、送信用のアンテナが人体頭部に近くなり、その人体頭部の影響を受けて、アンテナ特性が劣化したり、また送信用のアンテナからの放射により、いわゆるＳＡＲ（Ｓｙｎｔｈｅｔｉｃ  Ａｐｅｒｔｕｒｅ  Ｒａｄａｒ）値が大きくなってしまう。また例えば、いわゆる折り畳み型の携帯電話端末において、上述のように受話部近傍と送話部近傍の二箇所にアンテナを設けたとすると、当該携帯電話端末が折り畳まれた時には、それら二つのアンテナ間の距離が非常に近くなってしまい、空間ダイバーシティの効果が著しく低下してしまう。なお、送受信アンテナを筐体長辺方向の例えば中央部や筐体下端部に設けておけば、ＳＡＲ値を小さくできることになる。しかしこの場合、送受信アンテナが筐体上端部に設けられている場合よりも、アンテナ特性は悪くなってしまう。また、折り畳み型の携帯電話端末において、送受信アンテナを筐体長辺方向の例えば中央部に設けておけば、上述したように折り畳み時に送受信アンテナと受信専用アンテナが近接してしまうことも無くなる。しかしこの場合、通話等のために筐体を開いた場合でも、受信専用アンテナと送受信アンテナ間の距離を大きくとることができないため、実使用時に高いダイバーシティ効果を得たいという観点から最適であるとは言い難い。
【０００８】
本発明は、このような実情に鑑みて提案されたものであり、最適なダイバーシティ効果を得ることのできる携帯無線端末を提供でき、また、人体によるアンテナ特性への悪影響を低減でき、またＳＡＲ値を小さくできる携帯無線端末を提供することを目的とする。
【０００９】
【課題を解決するための手段】
本発明は、少なくとも二つのアンテナと、信号の送信と受信に共用される送受信回路と、信号の受信にのみ用いられる受信回路と、各アンテナのそれぞれについて受信信号強度を検出する信号強度検出手段と、各アンテナの何れか一つを送受信回路に接続し、他の一つを受信回路に接続するためのアンテナ切り替え手段と、各アンテナのうちで最も受信信号強度が高いアンテナを決定し、そのアンテナを送受信回路に接続させるようにアンテナ切り替え手段を制御する制御手段とを有する。
【００１０】
また、本発明は、少なくとも三つのアンテナと、信号の送信と受信に共用される送受信回路と、受信にのみ用いられる受信回路と、各アンテナのうちの何れか二つのアンテナの一方を送受信回路に接続し、他方を受信回路に接続するためのアンテナ切り替え手段と、端末の使用状態を検出する使用状態検出手段と、その使用状態に応じて二つのアンテナを決定し、一方を送受信回路に接続させ、他方を受信回路に接続させるようにアンテナ切り替え手段を制御する制御手段とを有する。
【００１１】
すなわち本発明によれば、携帯無線端末に設けられているアンテナと、送受信回路及び受信回路との接続を固定せず、受信信号強度や端末使用状態に応じて、それら接続を適応的に切り替え変更している。
【００１２】
【発明の実施の形態】
以下、本発明の好ましい実施の形態について、図面を参照しながら説明する。
【００１３】
本実施形態では、本発明にかかる携帯無線端末の一例として携帯電話端末を挙げている。
【００１４】
本実施形態の携帯電話端末は、図１，図２に示すように、第１の筐体１と、この第１の筐体１に対して折り重なるように二つ折り可能となされる第２の筐体２とを有した、いわゆる折り畳み型の携帯電話端末である。
【００１５】
第１の筐体１と第２の筐体２は、互いの一端側を連結部（ヒンジ部）３を介して互いに回動自在とされており、図１の折り重ねた状態（以下、閉状態とする）と図２の開いた状態（以下、開状態とする）で使用される。すなわちこの折り畳み型の携帯電話端末は、例えば、充電時や電話をかけない場合には図１の閉状態となされ、電話をかけたりメールを送信する場合などには図２の開状態で使用される。
【００１６】
第１の筐体１には、携帯電話端末の主要な回路構成が内蔵されている。また、この第１の筐体１の上面（第２の筐体２との対向面）には、図２に示すように、電話番号や文字等を入力するためのキーや各種のファンクションキー等の複数のキー４とジョグダイヤル５などからなる操作部、送話用マイクロホンを備えた送話部１０などが設けられている。なお、これら操作部や送話部１０は、第２の筐体２と重なり合う側に設けられている。一方、第２の筐体２には、液晶等からなるディスプレイ６、受話用スピーカを備えた受話部９などが設けられている。なお、これらディスプレイ６や受話部９などは、第１の筐体１と重なり合う側に設けられている。
【００１７】
また、本実施形態の携帯電話端末は、図３に示すように、第１アンテナ２１，第２アンテナ２２，第３アンテナ２３の少なくとも三つのアンテナを備えている。なお、図３は、第１，第２，第３アンテナ２１，２２，２３の配置位置を分かり易く説明するために、受話部９や送話部１０，ジョグダイヤル５等、元々備わっている構成要素の一部の図示を省略している。上記第１アンテナ２１は、第２の筐体２の受話部９の近傍、つまり当該携帯電話端末が開状態である場合の長辺方向の筐体上端部近傍に設けられている。第２アンテナ２２は、例えば第１の筐体１の連結部３近傍、つまり当該携帯電話端末を開いた場合の筐体中央部近傍に設けられている。第３アンテナ２３は、第１の筐体１の送話部１０の近傍、つまり当該携帯電話端末が開状態である場合の長辺方向の筐体下端部近傍に設けられている。なお、第２アンテナ２２は、例えば第２の筐体２の連結部３近傍、或いは、連結部３内部に設けられていても良い。また、第１アンテナ２１は、いわゆるホイップアンテナ、或いは筐体に内蔵されるアンテナ等により構成されている。第２アンテナ２２と第３アンテナ２３は、いわゆる逆Ｆアンテナ、チップアンテナなどの内蔵型アンテナにより構成されている。なお、第２アンテナ２２はホイップアンテナであっても良い。また、第１アンテナ２１と第３アンテナ２３は、例えば互いに偏波方向が直交するものとし、例えば携帯電話端末が閉状態となって第１アンテナ２１と第３アンテナ２３間の距離が近くなった場合でも、互いに干渉しないようにすることが望ましい。
【００１８】
その他、図１〜図３では図示を省略しているが、本実施形態の携帯電話端末は、端末が開かれた状態（開状態）か、或いは折り重ねられた状態（閉状態）の何れの状態であるのかを検出するための開閉検出センサも備えている。
【００１９】
ここで、本実施形態の携帯電話端末は、それら第１，第２，第３アンテナ２１，２２，２３のうち、何れか二つのアンテナを使用し、その二つのアンテナによりダイバーシティ受信を行う。また、本実施形態の携帯電話端末は、二つのアンテナのうち、何れか一方を送受信アンテナとして使用し、他方を受信専用アンテナとして使用する。それら三つのアンテナのうち、何れの二つをダイバーシティ受信に用い、さらにその一方を送受信アンテナとして使用し、他方を受信専用アンテナとして使用するのかは、当該折り畳み型の携帯電話端末の使用状態により適宜選択，決定される。すなわち、本実施形態の携帯電話端末は、端末が開かれた状態（開状態）か、或いは折り重ねられた状態（閉状態）の何れの使用状態（開閉状態）であるのか、また、携帯電話端末が通話中のいわゆるトークポジション状態か、或いは例えばデータ通信中のように利用者の手に持たれているハンドホールド状態の何れの使用状態であるのか等により、第１，第２，第３アンテナ２１，２２，２３の三つのアンテナのうちの二つのアンテナを選択して決定し、さらにその一方を送受信アンテナ、他方を受信専用アンテナに決定する。二つのアンテナの選択，決定、及び、それら二つのアンテナの何れを送受信アンテナ又は受信専用アンテナにするかの具体的な動作例の説明は後述する。
【００２０】
図４には、本実施形態の携帯電話端末の内部の回路構成を示している。なお、図４に示した各回路構成は、主要なもののみを挙げている。
【００２１】
図４において、第１，第２，第３アンテナ２１，２２，２３はアンテナ切り替え回路２４に接続されている。アンテナ切り替え回路２４は、後述するＣＰＵ（Ｃｅｎｔｒａｌ  Ｐｒｏｃｅｓｓｉｎｇ  Ｕｎｉｔ）３２から供給される切り替え制御信号により、第１，第２，第３アンテナ２１，２２，２３のうち、何れか二つのアンテナの一方を経路Ｒ１側に接続し、他方を経路Ｒ２側に接続する。なお、アンテナ切り替え回路２４は、経路Ｒ１，Ｒ２の何れにも接続されないアンテナについては、その終端がオープン状態になってしまわないように、グランドに接続したり、終端条件を位相回路により切り替えるなどの処理を行うことが望ましい。
【００２２】
経路Ｒ１は、上記アンテナ切り替え回路２４を介して、一つのアンテナを送信用と受信用とで共用する経路であり、受信回路２７、送信回路２８、アンテナ共用器２６、ＶＳＷＲ（Ｖｏｌｔａｇｅ  Ｓｔａｎｄｉｎｇ  Ｗａｖｅ  Ｒａｔｉｏ）センサ２５が接続されている。送信回路２８は、信号処理回路３０より供給されるベースバンド信号から高周波信号への周波数変換や帯域制限、増幅等の処理を行う。送信回路２８から出力された送信信号は、アンテナ共用器２６とＶＳＷＲセンサ２５を介してアンテナ切り替え回路２４へ送られ、当該経路Ｒ１に接続されたアンテナを介して空中に放射される。一方、アンテナ切り替え回路２４により経路Ｒ１に接続されているアンテナが受信した信号は、当該アンテナ切り替え回路２４、ＶＳＷＲセンサ２５、アンテナ共用器２６を介して、受信回路２７へ送られる。受信回路２７は、その受信信号の増幅やベースバンド信号への周波数変換を行い、信号処理回路３０へ供給する。ＶＳＷＲセンサ２５は、方向性結合器や検波回路等により構成され、それら構成により得た進行波と反射波の検波電圧の値を、ＣＰＵ３２へ送る。このときのＣＰＵ３２は、進行波と反射波の検波電圧の比から反射係数を求め、その反射係数から、ＶＳＷＲ値を測定する。なお、当該ＶＳＷＲ値は、経路Ｒ１に接続されているアンテナのインピーダンス変化に相当する値である。
【００２３】
一方、経路Ｒ２は、上記アンテナ切り替え回路２４を介して、一つのアンテナを受信専用にする経路であり、受信回路２９が接続されている。アンテナ切り替え回路２４により経路Ｒ２に接続されているアンテナが受信した信号は、当該アンテナ切り替え回路２４を介して受信回路２９へ送られる。受信回路２９は、その受信信号の増幅や帯域制限、ベースバンド信号への周波数変換等の処理を行う。この受信回路２９からの信号は、信号処理回路３０へ送られる。
【００２４】
信号処理回路３０は、変復調器、コーデック回路、ＤＳＰ（Ｄｉｇｉｔａｌ  Ｓｉｇｎａｌ  Ｐｒｏｃｅｓｓｏｒ）等により構成され、送受信信号の変復調、拡散と逆拡散処理、インターリーブとデインターリーブ処理、誤り訂正処理、アナログ／ディジタル変換、ディジタル／アナログ変換等を行う。また、信号処理回路３０は、ＲＳＳＩ（Ｒｅｃｅｉｖｅ  Ｓｉｇｎａｌ  Ｓｔｒｅｎｇｔｈ  Ｉｎｄｉｃａｔｏｒ）３１も備えており、当該ＲＳＳＩ３１により受信信号強度を求めている。当該信号処理回路３０は、ＣＰＵ３２との間で送受信データをやり取りし、また、ＲＳＳＩ３１が測定した受信信号強度値をＣＰＵ３２へ供給する。
【００２５】
操作部３３は、前記第１の筐体１等に設けられている各種キー４やジョグダイヤル５などであり、それらキー等がユーザにより操作されたとき、そのユーザ操作に応じた操作信号を発生してＣＰＵ３２へ送る。
【００２６】
ＲＯＭ（Ｒｅａｄ  Ｏｎｌｙ  Ｍｅｍｏｒｙ）３４は、ＣＰＵ３２が各部を制御したり各種の演算を行うためのプログラムや各種の初期設定値、フォントデータなどを記憶している。なお、このＲＯＭ３４は、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）のような書き換え可能なＲＯＭであっても良い。
【００２７】
ＲＡＭ（Ｒａｎｄｏｍ  Ａｃｃｅｓｓ  Ｍｅｍｏｒｙ）３５は、ＣＰＵ３２が各種のデータ処理を行う際の作業領域として、随時データを格納する。
【００２８】
表示部３６は、前記第２の筐体２等に設けられるディスプレイ６とその駆動回路とからなり、ＣＰＵ３２から供給された表示信号に応じてディスプレイ６上に画像や文字等を表示する。
【００２９】
マイクロホン３７は、前記第１の筐体１上の送話部１０に設けられ、ユーザによる通話音声等を電気信号に変換してＣＰＵ３２へ送る。
【００３０】
スピーカ３８は、前記第２の筐体２上の受話部９に設けられ、通話相手先からの音声を出力する。なお、着信音用スピーカの図示は省略している。
【００３１】
開閉検出センサ３９は、携帯電話端末が開かれた状態（開状態）か、折り重ねられた状態（閉状態）の何れの状態であるのかを検出し、その開閉検出信号をＣＰＵ３２に送る。
【００３２】
ＣＰＵ３２は、各構成要素の制御や各種の演算、データ処理等を行う。
【００３３】
また本実施形態の場合、ＣＰＵ３２は、受信信号強度や当該携帯電話端末の使用状態を判断し、それら受信信号強度や使用状態から、前記第１，第２，第３アンテナ２１，２２，２３のうちでダイバーシティ受信に使用する二つのアンテナを決定すると共に、それら二つのアンテナを経路Ｒ１とＲ２の何れに接続するかを決定し、その決定に応じた切り替え制御信号を発生して、前記アンテナ切り替え回路２４へ送ることも行う。
【００３４】
以下、二つのアンテナの選択、及び、それら二つのアンテナの経路Ｒ１又はＲ２への接続の具体的な動作例を、図５〜図９のフローチャートを用いて説明する。なお、図５〜図９のフローチャートの各動作例は、携帯電話端末の動作状態が、着信待ち受け状態、通話状態、通話以外のデータ通信状態の何れの状態であっても適用可能である。また、各フローチャートにおいて、電源オン以降の各動作は、電源がオフされるまで繰り返される。
【００３５】
図５のフローチャートは、各アンテナの受信信号強度に基づいて、二つのアンテナの選択と経路Ｒ１，Ｒ２の接続とを行う場合の第１の実施形態の動作例を示している。
【００３６】
図５において、ユーザにより操作部３３上の電源ボタンが押されることで、ステップＳ１にて電源がオンされた後、ＣＰＵ３２は、ステップＳ２の処理として、アンテナ切り替え回路２４を制御し、第１，第２，第３アンテナ２１，２２，２３をそれぞれ経路Ｒ１又はＲ２の何れかに接続させ、それら各アンテナ毎の受信信号強度をＲＳＳＩ３１の出力値から求める。
【００３７】
次に、ＣＰＵ３２は、ステップＳ３の処理として、それら各アンテナのうちで受信信号強度が一位と二位になっている二つのアンテナを決定する。そして、ＣＰＵ３２は、受信信号強度が最も大きい一位のアンテナを経路Ｒ１に接続させ、二位のアンテナを経路Ｒ２に接続させるための切り替え制御信号を発生し、この切り替え制御信号により上記アンテナ切り替え回路２４を制御する。
【００３８】
なお、この第１の実施形態の動作例において、受信信号強度が高い方のアンテナを経路Ｒ１に接続すること、つまり受信感度の高くなっている方を送受信アンテナにしているのは、電界強度が大きくなっている方のアンテナを送信側にしておいた方が、基地局へ信号を送信する際に有利だからである。また、第１の実施形態の動作例において、ＣＰＵ３２は、エリアが換わる毎、或いは一定時間毎に、ステップＳ２〜ステップＳ４の処理を行っても良い。
【００３９】
すなわち第１の実施形態の携帯電話端末によれば、第１，第２，第３アンテナ２１，２２，２３のうち、受信信号強度が高くなっている二つのアンテナを用いてダイバーシティ受信ができるため、高効率のダイバーシティ受信が可能となり、また、受信信号強度が一位となっているアンテナを送受信アンテナにすることができるため、高品質で良好な通話やデータ送受信が可能となる。
【００４０】
図６のフローチャートは、携帯電話端末の使用状態のうち、特に端末の開閉状態に応じて、二つのアンテナの選択と経路Ｒ１，Ｒ２の接続とを行う場合の第２の実施形態の動作例を示している。
【００４１】
図６において、ユーザにより操作部３３上の電源ボタンが押されることで、ステップＳ１０にて電源がオンされた後、ＣＰＵ３２は、ステップＳ１１の処理として、前記開閉検出センサ３９からの開閉検出信号により、携帯電話端末が開状態であるのか閉状態であるのかを判断する。当該ステップＳ１１において、ＣＰＵ３２は、開状態であると判断した場合にはステップＳ１２へ処理を進め、閉状態であると判断した場合にはステップＳ１４へ処理を進める。
【００４２】
ステップＳ１１にて開状態と判断し、ステップＳ１２の処理に進むと、ＣＰＵ３２は、第１アンテナ２１と第３アンテナ２３を、使用するアンテナに決定する。そして、ＣＰＵ３２は、ステップＳ１３の処理として、第１アンテナ２１を経路Ｒ１に接続させ、第３アンテナ２３を経路Ｒ２に接続させるための切り替え制御信号を発生し、この切り替え制御信号により上記アンテナ切り替え回路２４を制御する。
【００４３】
一方、ステップＳ１１にて閉状態と判断し、ステップＳ１４の処理に進むと、ＣＰＵ３２は、第２アンテナ２２と第３アンテナ２３を、使用するアンテナに決定する。そして、ＣＰＵ３２は、ステップＳ１５の処理として、第２アンテナ２２を経路Ｒ１に接続させ、第３アンテナ２３を経路Ｒ２に接続させるか、若しくは、第２アンテナ２２を経路Ｒ２に接続させ、第３アンテナ２３を経路Ｒ１に接続させるための切り替え制御信号を発生し、この切り替え制御信号により上記アンテナ切り替え回路２４を制御する。
【００４４】
すなわちこの第２の実施形態の場合、携帯電話端末が開状態であるときには、筐体上端部に設けられている第１アンテナ２１と筐体下端部に設けられている第３アンテナを使用することで、二つのアンテナ間の距離を確保してダイバーシティ受信の効果を高めると共に、通常の使用状態で地面から高い位置となる可能性が大きい第１アンテナ２１を送受信アンテナにすることで、高品質で良好な通話やデータ送受信を可能とする。一方、携帯電話端末が閉状態であるときには、筐体中央部に設けられている第２アンテナ２２と筐体下端部に設けられている第３アンテナ２３を使用してダイバーシティ受信の効果を維持することで、通話やデータ送受信の品質を確保している。なお、携帯電話端末が閉状態のときに使用する二つのアンテナは、第１アンテナ２１と第２アンテナ２２であっても良い。また、携帯電話端末が閉状態のとき、二つのアンテナの何れを経路Ｒ１とＲ２のどちらに接続するのかは、予め決めておいても良いし、必要に応じて変更しても良い。
【００４５】
図７のフローチャートは、携帯電話端末の使用状態に基づいて、二つのアンテナの選択と経路Ｒ１，Ｒ２の接続とを行う場合の第３の実施形態の動作例を示している。
【００４６】
図７において、ユーザにより操作部３３上の電源ボタンが押されることで、ステップＳ２０にて電源がオンされた後、ＣＰＵ３２は、ステップＳ２１の処理として、開閉検出センサ３９からの開閉検出信号により、携帯電話端末が開状態であるのか閉状態であるのかを判断し、開状態のときにはステップＳ２２へ、閉状態のときにはステップＳ２９へ処理を進める。
【００４７】
ステップＳ２１にて閉状態と判断し、ステップＳ２９の処理に進むと、ＣＰＵ３２は、第２アンテナ２２と第３アンテナ２３を使用するアンテナに決定する。そして、ＣＰＵ３２は、ステップＳ３０の処理として、第２アンテナ２２を経路Ｒ１に接続させ、第３アンテナ２３を経路Ｒ２に接続させるか、若しくは、第２アンテナ２２を経路Ｒ２に接続させ、第３アンテナ２３を経路Ｒ１に接続させるための切り替え制御信号を発生し、この切り替え制御信号により上記アンテナ切り替え回路２４を制御する。このように、第３の実施形態において、携帯電話端末が閉状態であるときには、筐体中央部の第２アンテナ２２と筐体下端部の第３アンテナ２３の使用によりダイバーシティ受信の効果を維持し、通話やデータ送受信の品質を確保している。なお、携帯電話端末が閉状態のときのアンテナは、第１アンテナ２１と第２アンテナ２２であっても良い。また、携帯電話端末が閉状態のとき、二つのアンテナの何れを経路Ｒ１とＲ２のどちらに接続するのかは、予め決めておいても良いし、必要に応じて変更しても良い。
【００４８】
一方、ステップＳ２１にて開状態と判断し、ステップＳ２２の処理に進むと、ＣＰＵ３２は、第１アンテナ２１と第３アンテナ２３を使用するアンテナに決定した後、ステップＳ２３の処理として、第１アンテナ２１を経路Ｒ１に接続させ、第３アンテナ２３を経路Ｒ２に接続させるための切り替え制御信号を発生し、この切り替え制御信号により上記アンテナ切り替え回路２４を制御する。
【００４９】
次に、この第３の実施形態の場合、ＣＰＵ３２は、ステップＳ２４の処理として、ＶＳＷＲセンサ２５から供給された進行波と反射波の検波電圧の比から反射係数を求め、その反射係数からＶＳＷＲ値を測定する。つまり、ＣＰＵ３２は、経路Ｒ１に接続されているアンテナ（この場合は第１アンテナ２１）のインピーダンス変化を検出する。そして、ＣＰＵ３２は、ステップＳ２５の処理として、予め決められている規定値よりも上記ＶＳＷＲ値が大きいか否かを判断する。
【００５０】
ここで、上記規定値は、例えばいわゆるトークポジションのように、ユーザが携帯電話端末の受話部９に耳を当てて通話等を行っている使用状態のときのＶＳＷＲ値よりも僅かに低い値に設定されている。したがって、上記ＶＳＷＲ値が当該規定値より大きい場合、携帯電話端末はトークポジション状態で使用されていると考えて差し支えない。一方で、トークポジション状態のように、ユーザが携帯電話端末の受話部９に耳を当てて通話等を行っている使用状態の場合において、受話部９近傍に送受信アンテナが存在すると、当該送受信アンテナが人体頭部の影響を受け、アンテナ特性が劣化したり、送信時の電磁波放射によりＳＡＲ値が大きくなってしまい、好ましくない。
【００５１】
このため、ステップＳ２５において、ＶＳＷＲ値が規定値を超えていると判定した場合、ＣＰＵ３２は、ステップＳ２６の処理として、使用するアンテナを第２アンテナ２２と第３アンテナ２３に変更し、次いでステップＳ２７の処理として、第２アンテナ２２を経路Ｒ１に接続させ、第３アンテナ２３を経路Ｒ２に接続させるか、若しくは、第２アンテナ２２を経路Ｒ２に接続させ、第３アンテナ２３を経路Ｒ１に接続させるための切り替え制御信号を発生し、この切り替え制御信号により上記アンテナ切り替え回路２４を制御する。すなわち、トークポジション状態のように、ユーザが携帯電話端末の受話部９に耳を当てて通話等を行っている使用状態の場合、本実施の形態の携帯電話端末は、受話部９近傍に設けられている第１アンテナ２１を使用しないようにすることで、人体頭部の影響による送受信アンテナの特性劣化を防ぐと共に、ＳＡＲ値を低減させている。なお、ステップＳ２７において、第２，第３アンテナ２２，２３を経路Ｒ１とＲ２のどちらに接続するのかは、予め決めておいても良いし、必要に応じて変更しても良い。
【００５２】
ステップＳ２５において、ＶＳＷＲ値が規定値を超えていないと判定された場合、携帯電話端末は、上記トークポジション状態以外の使用状態（例えばハンドホールド状態）であり、送受信アンテナが人体に密着することは少ないと考えて差し支えない。したがって、この場合のＣＰＵ３２は、ステップＳ２２及びステップＳ２３で決定したアンテナと経路を特に変更することはせず、処理をステップＳ２１へ戻す。
【００５３】
上述のように、第３の実施形態の場合、携帯電話端末の使用状態のうち、特に開閉状態に応じて最適な二つのアンテナが選択されると共に、開状態の時にはさらに当該携帯電話端末の使用状態がトークポジション状態かそれ以外かにより使用するアンテナを適宜変更することで、アンテナ特性の確保とＳＡＲ値の低減が可能となっている。
【００５４】
図８のフローチャートは、携帯電話端末の使用状態のうちの開閉状態と受信信号強度とに基づいて、二つのアンテナの選択と経路Ｒ１，Ｒ２の接続とを行う場合の第４の実施形態の動作例を示している。
【００５５】
図８において、ユーザにより操作部３３上の電源ボタンが押され、ステップＳ４０にて電源がオンされた後、ＣＰＵ３２は、ステップＳ４１にて、開閉検出センサ３９からの開閉検出信号により、携帯電話端末の開閉状態を判断し、開状態のときにはステップＳ４２へ、閉状態のときにはステップＳ４７へ処理を進める。
【００５６】
ステップＳ４１にて開状態と判断し、ステップＳ４２の処理に進むと、ＣＰＵ３２は、第１，第３アンテナ２１，２３を使用アンテナに決定する。
【００５７】
次に、ＣＰＵ３２は、ステップＳ４３の処理として、アンテナ切り替え回路２４を制御し、第１，第３アンテナ２１，２３をそれぞれ経路Ｒ１又はＲ２の何れかに接続させ、それら各アンテナ毎の受信信号強度をＲＳＳＩ３１の出力値から求め、更に、ステップＳ４４の処理として、それら各アンテナ毎の受信信号強度値により、何れのアンテナの受信信号強度が高くなっているのかを判定する。
【００５８】
そして、ＣＰＵ３２は、ステップＳ４４にて第１アンテナ２１の受信信号強度が高いと判定した場合には、ステップＳ４５にて、第１アンテナ２１を経路Ｒ１に接続させ、第３アンテナ２３を経路Ｒ２に接続させるための切り替え制御信号を発生し、この切り替え制御信号により上記アンテナ切り替え回路２４を制御する。一方、ステップＳ４４にて第３アンテナ２３の受信信号強度が高いと判定した場合には、ステップＳ４６にて、第３アンテナ２３を経路Ｒ１に接続させ、第１アンテナ２１を経路Ｒ２に接続させるための切り替え制御信号を発生し、この切り替え制御信号により上記アンテナ切り替え回路２４を制御する。
【００５９】
ステップＳ４１にて閉状態と判断し、ステップＳ４７の処理に進むと、ＣＰＵ３２は、第２，第３アンテナ２２，２３を使用アンテナに決定する。
【００６０】
次に、ＣＰＵ３２は、ステップＳ４８の処理として、アンテナ切り替え回路２４を制御し、第２，第３アンテナ２２，２３をそれぞれ経路Ｒ１又はＲ２の何れかに接続させ、それら各アンテナ毎の受信信号強度をＲＳＳＩ３１の出力値から求め、更に、ステップＳ４９の処理として、それら各アンテナ毎の受信信号強度値により、何れのアンテナの受信信号強度が高くなっているのかを判定する。
【００６１】
そして、ＣＰＵ３２は、ステップＳ４９にて第２アンテナ２２の受信信号強度が高いと判定した場合には、ステップＳ５０にて、第２アンテナ２２を経路Ｒ１に接続させ、第３アンテナ２３を経路Ｒ２に接続させるための切り替え制御信号を発生し、この切り替え制御信号により上記アンテナ切り替え回路２４を制御する。一方、ステップＳ４９にて第３アンテナ２３の受信信号強度が高いと判定した場合には、ステップＳ５１にて、第３アンテナ２３を経路Ｒ１に接続させ、第２アンテナ２２を経路Ｒ２に接続させるための切り替え制御信号を発生し、この切り替え制御信号により上記アンテナ切り替え回路２４を制御する。
【００６２】
なお、携帯電話端末が閉状態のときに使用する二つのアンテナは、第１アンテナ２１と第２アンテナ２２であっても良い。また、この第４の実施形態の動作例において、ＣＰＵ３２は、エリアが換わる毎、或いは一定時間毎に、ステップＳ４３〜ステップＳ４６、ステップＳ４８〜ステップＳ５１の処理を行っても良い。
【００６３】
このように、第４の実施形態の携帯電話端末によれば、前述の第２，第３の実施形態の場合と同様に携帯電話端末の開閉状態に応じて最適な二つのアンテナが選択されると共に、第１の実施形態の場合と同様に受信信号強度に応じた最適な経路にアンテナを接続することができる。
【００６４】
図９のフローチャートは、携帯電話端末の使用状態である開閉状態，トークポジション状態，ハンドホールド状態と、受信信号強度とに基づいて、二つのアンテナの選択と経路Ｒ１，Ｒ２の接続とを行う場合の第５の実施形態の動作例を示している。
【００６５】
図９において、ユーザにより操作部３３上の電源ボタンが押され、ステップＳ６０にて電源がオンされた後、ＣＰＵ３２は、ステップＳ６１にて、開閉検出センサ３９からの開閉検出信号により、携帯電話端末の開閉状態を判断し、開状態のときにはステップＳ６２へ、閉状態のときにはステップＳ７５へ処理を進める。
【００６６】
ステップＳ６１にて閉状態と判断し、ステップＳ７５の処理に進むと、ＣＰＵ３２は、第２，第３アンテナ２２，２３を使用アンテナに決定する。
【００６７】
次に、ＣＰＵ３２は、ステップＳ７６の処理として、アンテナ切り替え回路２４を制御し、第２，第３アンテナ２２，２３をそれぞれ経路Ｒ１又はＲ２の何れかに接続させ、それら各アンテナ毎の受信信号強度をＲＳＳＩ３１の出力値から求め、更に、ステップＳ７７の処理として、それら各アンテナ毎の受信信号強度値により、何れのアンテナの受信信号強度が高くなっているのかを判定する。
【００６８】
そして、ＣＰＵ３２は、ステップＳ７７にて第２アンテナ２２の受信信号強度が高いと判定した場合には、ステップＳ７８にて、第２アンテナ２２を経路Ｒ１に接続させ、第３アンテナ２３を経路Ｒ２に接続させるための切り替え制御信号を発生し、この切り替え制御信号により上記アンテナ切り替え回路２４を制御する。一方、ステップＳ７７にて第３アンテナ２３の受信信号強度が高いと判定した場合には、ステップＳ７９にて、第３アンテナ２３を経路Ｒ１に接続させ、第２アンテナ２２を経路Ｒ２に接続させるための切り替え制御信号を発生し、この切り替え制御信号により上記アンテナ切り替え回路２４を制御する。
【００６９】
ステップＳ６１にて開状態と判断し、ステップＳ６２の処理に進むと、ＣＰＵ３２は、第１，第３アンテナ２１，２３を使用アンテナに決定する。
【００７０】
次に、ＣＰＵ３２は、ステップＳ６３の処理として、アンテナ切り替え回路２４を制御し、第１，第３アンテナ２１，２３をそれぞれ経路Ｒ１又はＲ２の何れかに接続させ、それら各アンテナ毎の受信信号強度をＲＳＳＩ３１の出力値から求め、更に、ステップＳ６４の処理として、それら各アンテナ毎の受信信号強度値により、何れのアンテナの受信信号強度が高くなっているのかを判定する。
【００７１】
そして、ＣＰＵ３２は、ステップＳ６４にて第１アンテナ２１の受信信号強度が高いと判定した場合には、ステップＳ６５にて、第１アンテナ２１を経路Ｒ１に接続させ、第３アンテナ２３を経路Ｒ２に接続させるための切り替え制御信号を発生し、この切り替え制御信号により上記アンテナ切り替え回路２４を制御する。一方、ステップＳ６４にて第３アンテナ２３の受信信号強度が高いと判定した場合には、ステップＳ６６にて、第３アンテナ２３を経路Ｒ１に接続させ、第１アンテナ２１を経路Ｒ２に接続させるための切り替え制御信号を発生し、この切り替え制御信号により上記アンテナ切り替え回路２４を制御する。
【００７２】
上記ステップＳ６５又はステップＳ６６の処理後、ＣＰＵ３２は、ステップＳ６７の処理に進む。当該ステップＳ６７の処理に進むと、ＣＰＵ３２は、ＶＳＷＲ値により、経路Ｒ１に接続されているアンテナのインピーダンス変化を検出する。そして、ＣＰＵ３２は、ステップＳ６８の処理として、予め決められている規定値よりも上記ＶＳＷＲ値が大きいか否かを判断する。そして、ステップＳ６８において、ＶＳＷＲ値が規定値を超えていると判定した場合、ＣＰＵ３２は、ステップＳ６９の処理として、使用するアンテナを第２，第３アンテナ２２，２３に変更する。
【００７３】
次に、ＣＰＵ３２は、ステップＳ７０の処理として、アンテナ切り替え回路２４を制御し、第２，第３アンテナ２２，２３をそれぞれ経路Ｒ１又はＲ２の何れかに接続させ、それら各アンテナ毎の受信信号強度をＲＳＳＩ３１の出力値から求め、更に、ステップＳ７１の処理として、それら各アンテナ毎の受信信号強度値により、何れのアンテナの受信信号強度が高くなっているのかを判定する。
【００７４】
そして、ＣＰＵ３２は、ステップＳ７１にて第２アンテナ２２の受信信号強度が高いと判定した場合には、ステップＳ７２にて、第２アンテナ２２を経路Ｒ１に接続させ、第３アンテナ２３を経路Ｒ２に接続させるための切り替え制御信号を発生し、この切り替え制御信号により上記アンテナ切り替え回路２４を制御する。一方、ステップＳ７１にて第３アンテナ２３の受信信号強度が高いと判定した場合には、ステップＳ７３にて、第３アンテナ２３を経路Ｒ１に接続させ、第２アンテナ２２を経路Ｒ２に接続させるための切り替え制御信号を発生し、この切り替え制御信号により上記アンテナ切り替え回路２４を制御する。
【００７５】
なお、この第５の実施形態の動作例において、携帯電話端末が閉状態のときに使用する二つのアンテナは、第１アンテナ２１と第２アンテナ２２であっても良い。また、ＣＰＵ３２は、エリアが換わる毎、或いは一定時間毎に、ステップＳ６３〜ステップＳ６７、ステップＳ７０〜ステップＳ７３、ステップＳ７６〜ステップＳ７９の処理を行っても良い。
【００７６】
上述のように、第５の実施形態の場合、携帯電話端末の開閉状態に応じて最適な二つのアンテナが選択されると共に、受信信号強度に応じた最適な経路にアンテナを接続することができ、また特に開状態の時には、当該携帯電話端末の使用状態がトークポジション状態かそれ以外かにより使用するアンテナを適宜変更することで、アンテナ特性の確保とＳＡＲ値の低減が可能となっている。
【００７７】
なお、上述した実施の形態の説明は、本発明の一例である。このため、本発明は上述した実施の形態に限定されることなく、本発明に係る技術的思想を逸脱しない範囲であれば、設計等に応じて種々の変更が可能であることはもちろんである。例えば、本発明にかかる携帯無線端末は、図１，図２で示したような折り畳み型の携帯電話端末だけでなく、例えば、第１の筐体の一端部と第２の筐体の一端部を回転軸により連結すると共に、その回転軸により第２の筐体が第１の筐体に対して水平方向に回動可能となされた携帯電話端末（例えばいわゆるジャックナイフ型の携帯電話端末）であっても良く、また、例えば第１の筐体の第２の筐体が筐体長辺方向に水平にスライドするような携帯電話端末であっても良い。さらに、特に第１の実施形態のように、受信信号強度のみによりアンテナと経路Ｒ１，Ｒ２を切り替え接続する携帯電話端末は、折り畳み型等の携帯電話端末に限らず、一般的なストレートタイプの携帯電話端末などにも適用可能である。
【００７８】
【発明の効果】
本発明においては、少なくとも二つのアンテナの受信信号強度をそれぞれ検出し、受信信号強度が高いアンテナを送受信回路に接続させることにより、最適なダイバーシティ効果を得ることができる。
【００７９】
また、本発明においては、少なくとも三つのアンテナのうち、端末の使用状態に応じた二つのアンテナを決定し、一方を送受信回路に接続させ、他方を受信回路に接続させることにより、最適なダイバーシティ効果を得ることができ、さらには、人体によるアンテナ特性への悪影響を低減でき、またＳＡＲ値を小さくできる。
【図面の簡単な説明】
【図１】本実施形態の携帯電話端末が二つ折りに折り重ねられた状態を示す斜視図である。
【図２】本実施形態の携帯電話端末を開いた状態で且つディスプレイ側の斜視図である。
【図３】本実施形態の携帯電話端末のアンテナの配置位置の説明に用いる斜視図である。
【図４】本実施形態の携帯電話端末の内部回路構成の主要部を示すブロック図である。
【図５】本発明の第１の実施形態の動作例の説明に用いるフローチャートである。
【図６】本発明の第２の実施形態の動作例の説明に用いるフローチャートである。
【図７】本発明の第３の実施形態の動作例の説明に用いるフローチャートである。
【図８】本発明の第４の実施形態の動作例の説明に用いるフローチャートである。
【図９】本発明の第５の実施形態の動作例の説明に用いるフローチャートである。
【符号の説明】
１…第１の筐体、２…第２の筐体、４…キー、５…ジョグダイヤル、６…ディスプレイ、９…受話部、１０…送話部、２１…第１アンテナ、２２…第２アンテナ、２３…第３アンテナ、２４…アンテナ切り替え回路、２５…ＶＳＷＲセンサ、２６…アンテナ共用器、２７，２９…受信回路、２８…送信回路、３０…信号処理回路、３１…ＲＳＳＩ、３２…ＣＰＵ、３３…操作部、３４…ＲＯＭ、３５…ＲＡＭ、３６…表示部、３７…マイクロホン、３８…スピーカ、３９…開閉検出センサ
【図１】
2004363863.tif 000003
【図２】
2004363863.tif 000004
【図３】
2004363863.tif 000005
【図４】
2004363863.tif 000006
【図５】
2004363863.tif 000007
【図６】
2004363863.tif 000008
【図７】
2004363863.tif 000009
【図８】
2004363863.tif 000010
【図９】
2004363863.tif 000011